(57)【要約】【課題】装置の設定項目について、非表示になった項目を簡易的に把握することができる画像形成装置を提供すること。【解決手段】コピー機１は、検出部７５によりコピー機１の状態を検出し、特定部９１により、記憶部８０を参照して、検出部７５により検出されたコピー機１の状態に基づいて非表示とする設定項目を特定し、メニュー表示制御部９２により、特定部９１により特定されなかった設定項目について、記憶部８０を参照して階層関係を特定し、特定された階層関係に基づいて当該設定項目をツリー形式のメニューとして表示部７２に表示させ、非表示項目表示制御部９３により、操作部７０により所定の操作が行われたことに応じて、特定部９１により特定された設定項目を非表示情報として表示部７２に表示させる。【選択図】図２
2013246290.tif 000002
【特許請求の範囲】
【請求項１】
複数の設定項目を有する画像形成装置であって、
表示部と、
操作部と、
設定項目と、前記設定項目の階層とを関連付けて記憶する階層情報記憶部と、
前記画像形成装置の状態と、前記表示部に非表示とする設定項目とを関連付けて記憶する非表示情報記憶部と、
前記画像形成装置の状態を検出する検出部と、
前記非表示情報記憶部を参照して、前記検出部により検出された前記画像形成装置の状態に基づいて非表示とする設定項目を特定する特定部と、
前記特定部により特定されなかった設定項目について、前記非表示情報記憶部を参照して階層関係を特定し、特定された階層関係に基づいて当該設定項目をツリー形式のメニューとして前記表示部に表示させるメニュー表示制御部と、
前記操作部により所定の操作が行われたことに応じて、前記特定部により特定された設定項目を非表示情報として前記表示部に表示させる非表示項目表示制御部と、
を備える画像形成装置。
【請求項２】
前記非表示情報記憶部は、前記画像形成装置の状態と、前記表示部に非表示とする設定項目と、非表示である理由とを関連付けて記憶し、
前記非表示項目表示制御部は、前記操作部により所定の操作が行われたことに応じて、前記特定部により特定された設定項目と、当該設定項目が非表示である理由とを関連付けて非表示情報として前記表示部に表示させる、
請求項１に記載の画像形成装置。
【請求項３】
前記特定部は、前記検出部により検出された前記画像形成装置の状態を監視し、前記画像形成装置の状態が変化した場合に前記非表示情報記憶部を参照して、非表示とする設定項目を特定し、
前記メニュー表示制御部は、前記特定部により非表示とする設定項目が特定されたことに応じて、前記特定部により特定されなかった設定項目について、前記非表示情報記憶部を参照して階層関係を特定し、特定された階層関係に基づいて当該設定項目をツリー形式のメニューとして前記表示部に表示させる、
請求項１又は２に記載の画像形成装置。
【請求項４】
前記操作部は、前記表示部の表示面側に積層配置され、接触物の接触位置を検出可能な接触検出部を含んで構成され、
前記非表示項目表示制御部は、前記メニュー表示制御部により、前記表示部に前記ツリー形式のメニューが表示されている場合において前記接触検出部により、所定位置への接触が検出された場合に、所定の操作が行われたと判定して前記表示部における表示を前記メニューの表示から前記非表示情報の表示に切り替える、
請求項１から３のいずれか１項に記載の画像形成装置。
【発明の詳細な説明】
【技術分野】
【０００１】
本発明は、画像形成装置に関する。
【背景技術】
【０００２】
近年、機器の高性能化に伴い、多数の設定項目を有する複写機、プリンター、ファクシミリ等が登場している。しかしながら、多数の設定項目を表示画面に表示させた場合、ユーザが所望する設定項目を見つけることが困難となる。
【０００３】
このような問題に対して、操作画面に対して設定項目の親子関係に基づいて設定項目をツリー表示させたり、操作画面を階層化したりすることが提案されている。
例えば、特許文献１では、操作画面に対して、設定項目をツリー表示させるとともに、頻繁に使用する項目のみで構成される簡易ツリーを自動的に作成して操作画面に表示させることが提案されている。
また、設定項目を階層表示させる場合に、選択された設定項目以外の設定項目を非表示として操作性を向上させることが提案されている。
【先行技術文献】
【特許文献】
【０００４】
【特許文献１】特開２００８−２１７６４０号公報
【発明の概要】
【発明が解決しようとする課題】
【０００５】
しかしながら、特許文献１に記載されている技術では、簡易ツリーにおいて、どの項目が非表示であるのかわかりにくいといった問題がある。
また、選択された設定項目以外の設定項目を非表示として操作性を向上させる技術では、選択された項目と関連がない項目が非表示であることを把握することができるものの、どの項目が非表示であるのかわかりにくいといった問題がある。
【０００６】
本発明は、装置の設定項目について、非表示になった項目を簡易的に把握することができる画像形成装置を提供することを目的とする。
【課題を解決するための手段】
【０００７】
本発明は、複数の設定項目を有する画像形成装置であって、表示部と、操作部と、設定項目と、前記設定項目の階層とを関連付けて記憶する階層情報記憶部と、前記画像形成装置の状態と、前記表示部に非表示とする設定項目とを関連付けて記憶する非表示情報記憶部と、前記画像形成装置の状態を検出する検出部と、前記非表示情報記憶部を参照して、前記検出部により検出された前記画像形成装置の状態に基づいて非表示とする設定項目を特定する特定部と、前記特定部により特定されなかった設定項目について、前記非表示情報記憶部を参照して階層関係を特定し、特定された階層関係に基づいて当該設定項目をツリー形式のメニューとして前記表示部に表示させるメニュー表示制御部と、前記操作部により所定の操作が行われたことに応じて、前記特定部により特定された設定項目を非表示情報として前記表示部に表示させる非表示項目表示制御部と、を備える画像形成装置に関する。
【０００８】
また、画像形成装置では、前記非表示情報記憶部は、前記画像形成装置の状態と、前記表示部に非表示とする設定項目と、非表示である理由とを関連付けて記憶し、前記非表示項目表示制御部は、前記操作部により所定の操作が行われたことに応じて、前記特定部により特定された設定項目と、当該設定項目が非表示である理由とを関連付けて非表示情報として前記表示部に表示させることが好ましい。
【０００９】
また、画像形成装置では、前記特定部は、前記検出部により検出された前記画像形成装置の状態を監視し、前記画像形成装置の状態が変化した場合に前記非表示情報記憶部を参照して、非表示とする設定項目を特定し、前記メニュー表示制御部は、前記特定部により非表示とする設定項目が特定されたことに応じて、前記特定部により特定されなかった設定項目について、前記非表示情報記憶部を参照して階層関係を特定し、特定された階層関係に基づいて当該設定項目をツリー形式のメニューとして前記表示部に表示させることが好ましい。
【００１０】
また、画像形成装置では、前記操作部は、前記表示部の表示面側に積層配置され、接触物の接触位置を検出可能な接触検出部を含んで構成され、前記非表示項目表示制御部は、前記メニュー表示制御部により、前記表示部に前記ツリー形式のメニューが表示されている場合において前記接触検出部により、所定位置への接触が検出された場合に、所定の操作が行われたと判定して前記表示部における表示を前記メニューの表示から前記非表示情報の表示に切り替えることが好ましい。
【発明の効果】
【００１１】
本発明によれば、装置の設定項目について、非表示になった項目を簡易的に把握することができる画像形成装置を提供することができる。
【図面の簡単な説明】
【００１２】
【図１】画像形成装置の一実施形態に係るコピー機の全体構成を説明するための図である。
【図２】コピー機の機能構成を示すブロック図である。
【図３】非表示設定情報の例を示す図である。
【図４】表示部に対してツリー形式のメニューが表示されている例を示す図である。
【図５】表示部に対して非表示情報が表示されている例を示す図である。
【図６】コピー機の動作について説明するためのフローチャートである。
【発明を実施するための形態】
【００１３】
以下、図面を参照して、本発明の画像形成装置の一実施形態に係るコピー機について説明する。まず、コピー機１の全体構成について説明する。図１は、画像形成装置の一実施形態に係るコピー機１の全体構成を説明するための図である。
【００１４】
図１に示すように、本実施形態のコピー機１は、原稿搬送部１０と、原稿読取部２０と、用紙搬送部３０と、画像形成部４０と、転写部５０と、定着部６０とを備える。
原稿搬送部１０は、ＡＤＦ（Ａｕｔｏｍａｔｉｃ  Ｄｏｃｕｍｅｎｔ  Ｆｅｅｄｅｒ）であり、原稿載置部１１と、第１送りローラー１２と、ガイド１３と、タイミングローラー対１４と、原稿排出部１５とを備える。第１送りローラー１２は、原稿載置部１１に載置された原稿Ｇを１枚ずつ順にタイミングローラー対１４に供給する。タイミングローラー対１４は、原稿読取部２０が原稿Ｇの画像を読み取るタイミングと、原稿Ｇの画像が原稿読取部２０によって読み取られる位置（ガイド１３が配置されている位置）に原稿Ｇを供給するタイミングとを合わせるために、原稿Ｇの搬送又は原稿Ｇの搬送停止を行う。ガイド１３は、搬送された原稿Ｇを後述する第１読取面２１ａに導く。原稿排出部１５は、原稿読取部２０によって画像が読み取られた（ガイド１３を通過した）原稿Ｇをコピー機本体２の外部に排出する。
原稿排出部１５におけるコピー機本体２の外側には、原稿集積部１６が形成される。原稿集積部１６には、原稿排出部１５から排出された原稿Ｇが積層して集積される。
【００１５】
原稿読取部２０は、第１読取面２１ａと、第２読取面２２ａとを備える。第１読取面２１ａは、ガイド１３に対向して配置された第１コンタクトガラス２１の上面に沿って形成され、原稿Ｇの画像を読み取る面となる。第２読取面２２ａは、第１読取面２１ａに隣接して（図１に示す場合では、第１読取面２１ａの右側の大部分に亘って）配置される。第２読取面２２ａは、原稿搬送部１０を用いずに原稿Ｇの画像を読み取る場合に用いられる。第２読取面２２ａは、原稿Ｇが載置される第２コンタクトガラス２２の上面に沿って形成され、原稿Ｇの画像を読み取る面となる。
【００１６】
また、原稿読取部２０は、照明部２３と、第１ミラー２４と、第２ミラー２５と、第３ミラー２６と、結像レンズ２７と、撮像部２８とをコピー機本体２の内部に備える。照明部２３と第１ミラー２４とは、それぞれ副走査方向Ｘに移動する。第２ミラー２５と第３ミラー２６とは、図１において照明部２３及び第１ミラー２４の左側に配置される。さらに、第２ミラー２５及び第３ミラー２６は、第１ミラー２４と、第２ミラー２５と、第３ミラー２６と、結像レンズ２７とを介した第１読取面２１ａ又は第２読取面２２ａから撮像部２８までの距離（光路長）を一定に保ちつつ、それぞれ副走査方向Ｘに移動する。
【００１７】
照明部２３は、原稿Ｇに光を照射する光源である。第１ミラー２４、第２ミラー２５及び第３ミラー２６は、光路長を一定に保ちつつ、原稿Ｇによって反射された光を結像レンズ２７に導くためのミラーである。結像レンズ２７は、第３ミラー２６から入射した光を撮像部２８に結像させる。撮像部２８は、入射された光を電気信号に変換することにより、結像された光像に基づいて画像データを得るための撮像素子であり、例えば、ＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）等のイメージセンサーである。
【００１８】
用紙搬送部３０は、第２送りローラー３１と、第３送りローラー３２と、レジストローラー対３３と、用紙排出部３４とを備える。第２送りローラー３１は、給紙カセット３６に収容される用紙Ｔ（被転写材）を転写部５０に供給する。第３送りローラー３２は、手差しトレイ３７に載置される用紙Ｔ（被転写材）を転写部５０に供給する。レジストローラー対３３は、転写部５０にトナー画像が到達するタイミングと、転写部５０に用紙Ｔを供給するタイミングとを合わせるために、用紙Ｔの搬送又は用紙Ｔの搬送停止を行う。また、レジストローラー対３３は、用紙Ｔのスキュー（斜め給紙）補正を行う。用紙排出部３４は、トナー画像が定着された用紙Ｔをコピー機本体２の外部に排出する。
用紙排出部３４におけるコピー機本体２の外側には、排紙集積部３５が形成される。排紙集積部３５には、用紙排出部３４から排出された用紙Ｔが積層して集積される。
【００１９】
画像形成部４０は、トナー画像を形成するためのものであり、感光体ドラム４１と、帯電部４２と、レーザースキャナーユニット４３と、現像器４４と、クリーニング部４５と、トナーカートリッジ４６と、１次転写ローラー４７と、中間転写ベルト４８と、対向ローラー４９とを備える。
感光体ドラム４１（４１ａ，４１ｂ，４１ｃ，４１ｄ）は、ブラック、シアン、マゼンタ及びイエローそれぞれのトナー画像を形成するために、感光体又は像担持体として機能する。各感光体ドラム４１ａ，４１ｂ，４１ｃ，４１ｄの周囲には、感光体ドラム４１の回転方向に沿って上流側から下流側へ順に、帯電部４２と、レーザースキャナーユニット４３と、現像器４４と、クリーニング部４５とが配置される。帯電部４２は、感光体ドラム４１の表面を帯電させる。レーザースキャナーユニット４３は、感光体ドラム４１の表面から離れて配置され、原稿読取部２０によって読み取られた原稿Ｇに関する画像データに基づいて感光体ドラム４１の表面を走査露光する。これにより、感光体ドラム４１の表面には、露光された部分の電荷が除去されて静電潜像が形成される。現像器４４は、感光体ドラム４１の表面に形成された静電潜像にトナーを付着させてトナー画像を形成する。クリーニング部４５は、除電器（図示せず）によって感光体ドラム４１の表面が除電された後のその表面に残るトナー等を除去する。
トナーカートリッジ４６は、現像器４４に供給される各色のトナーを収容する。トナーカートリッジ４６と現像器４４とは、トナー供給路（図示せず）により接続されている。
【００２０】
１次転写ローラー４７（４７ａ，４７ｂ，４７ｃ，４７ｄ）は、中間転写ベルト４８における各感光体ドラム４１ａ，４１ｂ，４１ｃ，４１ｄとは反対側にそれぞれ配置される。中間転写ベルト４８は、画像形成部４０及び転写部５０を通過するベルトである。中間転写ベルト４８の一部分は、各感光体ドラム４１ａ，４１ｂ，４１ｃ，４１ｄと各１次転写ローラー４７ａ，４７ｂ，４７ｃ，４７ｄとの間に挟み込まれ、各感光体ドラム４１ａ，４１ｂ，４１ｃ，４１ｄの表面に形成されたトナー画像が１次転写される。対向ローラー４９は、環状形状の中間転写ベルト４８の内側に配置され、中間転写ベルト４８を図１に示す矢印Ａ方向に進行させるための駆動ローラーである。
【００２１】
転写部５０は、２次転写ローラー５１を備える。２次転写ローラー５１は、中間転写ベルト４８に関して対向ローラー４９とは反対側に配置され、中間転写ベルト４８の一部分を対向ローラー４９との間に挟みこむ。さらに、２次転写ローラー５１は、中間転写ベルト４８に１次転写されたトナー画像を用紙Ｔに２次転写させる。
【００２２】
定着部６０は、加熱回転体６１と、加圧回転体６２とを備える。加熱回転体６１と加圧回転体６２とは、トナー画像が２次転写された用紙Ｔを挟み込んで、トナーを溶融及び加圧し、そのトナーを用紙Ｔに定着させる。
【００２３】
次に、コピー機１の機能構成について説明する。図２は、コピー機１の機能構成を示すブロック図である。
コピー機１は、上述した構成要素（原稿搬送部１０、原稿読取部２０、用紙搬送部３０、画像形成部４０、転写部５０及び定着部６０）を備える。用紙搬送部３０、画像形成部４０、転写部５０及び定着部６０によりエンジン部３が構成される。なお、図１を用いて説明した構成要素については、その説明を省略する。
さらに、コピー機１は、上述した機能構成に加えて、操作部７０と、検出部７５と、階層情報記憶部及び非表示情報記憶部としての記憶部８０と、制御部９０とを備える。
【００２４】
操作部７０は、テンキー（図示せず）、タッチパネル７１及びスタートキー（図示せず）等を備える。テンキーは、印刷部数等の数字を入力するために操作される。
タッチパネル７１は、表示面を有する表示部７２と、接触検出部７３とから構成される。
接触検出部７３は、表示部７２の表示面側に積層配置され、接触物の接触位置及び接触領域を検出する。タッチパネル７１は、種々の機能（一例として、印刷倍率の設定機能や、複数のページを１枚の用紙Ｔに割り付ける機能（２ｉｎ１等））が割り当てられた複数の設定項目としてのソフトキー等を操作画面として表示面にツリー表示する（図４参照）。タッチパネルに表示されたソフトキーは、種々の機能のうちのいずれかをコピー機１に実行させるために操作される。例えば、開始キーは、印刷を実行させるために操作される。接触検出部７３は、指等が接触すると、接触物が接触された領域の位置情報を表す信号を制御部９０に供給する。
【００２５】
検出部７５は、複数のセンサ及び機能から構成されており、コピー機１の状態を検出する。すなわち、検出部７５は、コピー機１の状態として、以下に示されるコピー機１の状態を検出するとともに、この検出された情報を、後述の特定部９１に出力する。
【００２６】
具体的には、検出部７５は、原稿載置部１１に原稿Ｇが載置されているか否かを検出する。検出部７５は、原稿載置部１１に原稿Ｇが載置されている場合に、原稿Ｇのサイズを特定する。
また、検出部７５は、原稿読取部２０に原稿Ｇが設置されたことを検出する。検出部７５は、第２読取面２２ａに原稿Ｇが設置された場合に、原稿読取部２０を制御して原稿Ｇを走査させ、原稿Ｇが白黒の印刷物か、カラー印刷物かを判定する。また、検出部７５は、コピー機１に対して、フィニッシャ又はパンチ等のオプション機器が接続されているか否かを判定する。また、検出部７５は、コピー機１の記憶部８０に対して原稿Ｇに基づく画像データが記憶されているか否かを判定する。
【００２７】
記憶部８０は、ハードディスクや半導体メモリー等から構成される。記憶部８０は、原稿読取部２０によって読み取られた原稿Ｇに基づく画像データを記憶する。また、記憶部８０は、コピー機１において利用される制御プログラム、及びこの制御プログラムによって利用されるデータ等を記憶する。
また、記憶部８０は、設定項目と、当該設定項目の階層とを関連付けて階層情報として記憶する。例えば、設定項目「コピー」の一階層下位の設定項目として、設定項目「用紙設定」及び「集約」が関連付けられて記憶されている。
【００２８】
また、記憶部８０は、コピー機１の状態と、表示部７２に非表示とする設定項目と、当該項目を非表示とする理由とを関連付けて非表示設定情報として記憶する。
図３は、非表示設定情報の例を示す図である。例えば、図３に示されているように、コピー機１の状態が、原稿が無い状態、すなわち、原稿がＡＤＦ又は読取面（第２読取面２２ａ）に載置されていない状態の場合、「コピー」、「メール送信」、「ＦＡＸ」、「データとして保存」という設定項目が非表示となる。また、これらの設定項目が非表示とされる理由は、「原稿が無いため」となる。
【００２９】
制御部９０は、原稿搬送部１０、原稿読取部２０、エンジン部３、操作部７０等を制御する。
原稿載置部１１に載置された原稿Ｇをコピーする場合を示して、制御部９０の機能（動作）の一例を説明する。まず、制御部９０は、操作部７０を構成する上記のスタートキーが操作されたことを示す信号が供給されることにより、スタートキーが操作されたことを検知する。次に、制御部９０は、原稿搬送部１０の第１送りローラー１２を駆動させて原稿Ｇを第１読取面２１ａに供給する。制御部９０は、原稿読取部２０により第１読取面２１ａに供給された原稿Ｇに基づく画像データを生成させ、その画像データを記憶部８０に一時記憶する。制御部９０は、記憶部８０に一時記憶された画像データに基づいて用紙Ｔにトナー画像を形成するために、エンジン部３を構成する用紙搬送部３０と、画像形成部４０と、転写部５０と、定着部６０とをそれぞれ制御する。すなわち、制御部９０は、第２送りローラー３１又は第３送りローラー３２を駆動させて、用紙Ｔを転写部５０に搬送させる。また、制御部９０は、画像データに基づいて色毎に生成された色画像データをそれぞれレーザースキャナーユニット４３に供給し、レーザースキャナーユニット４３から照射されるレーザー光により感光体ドラム４１に静電潜像を形成させる。制御部９０は、現像器４４により感光体ドラム４１にトナー画像を形成させ、このトナー画像を中間転写ベルト４８に１次転写させる。制御部９０は、中間転写ベルト４８に１次転写されたトナー画像を２次転写ローラー５１によって用紙Ｔに２次転写させる。制御部９０は、加熱回転体６１が所定の温度に加熱されるよう制御して、その加熱回転体６１により用紙Ｔに２次転写されたトナー画像のトナーを溶融させるとともに、加熱回転体６１に圧接される加圧回転体６２よりトナーを用紙Ｔに定着させる。さらに、制御部９０は、トナー画像が定着された用紙Ｔを用紙搬送部３０により用紙排出部３４から排出させる。
【００３０】
また、制御部９０は、特定部９１と、メニュー表示制御部９２と、非表示項目表示制御部９３とを備える。
【００３１】
特定部９１は、記憶部８０を参照し、検出部７５により検出されたコピー機１の状態に基づいて、非表示とする設定項目を特定する。
また、特定部９１は、表示部７２にツリー形式のメニューが表示されている場合に、検出部７５により検出されたコピー機１の状態を監視する。そして、特定部９１は、コピー機１の状態が変化した場合に、記憶部８０を参照し、検出部７５により検出されたコピー機１の状態に基づいて、非表示とする設定項目を特定する。
【００３２】
なお、記憶部８０に、競合する機能について、禁則事項として記憶させておき、特定部９１が、非表示に特定されなかった設定項目について、当該禁則事項に基づいて、非表示とする設定項目をさらに特定するようにしてもよい。
【００３３】
メニュー表示制御部９２は、設定項目をツリー形式のメニューとして表示部７２に表示させる。
具体的には、メニュー表示制御部９２は、特定部９１により非表示とする設定項目が特定されたことに応じて、記憶部８０を参照して、特定部９１により非表示とする設定項目として特定されなかった設定項目についての階層関係を特定する。そして、メニュー表示制御部９２は、特定された階層関係に基づいて、設定項目をツリー形式のメニューとして表示部７２に表示させる。
【００３４】
図４は、表示部７２に対してツリー形式のメニューが表示されている例を示す図である。図４（ａ）は、コピー機１の状態が、原稿が無い状態（原稿がＡＤＦ又は第２読取面２２ａに載置されていない状態）である場合に表示部７２にメニューが表示された例を示す図である。図４（ｂ）は、コピー機１の状態が、ＡＤＦに原稿Ｇが有る状態である場合に表示部７２にメニューが表示された例を示す図である。
【００３５】
図４（ａ）に示される例において、特定部９１は、記憶部８０の非表示設定情報を参照して、「コピー」、「メール送信」を非表示とする設定項目として特定する。これにより、図４（ａ）では、非表示とする設定項目として特定されていない設定項目である「データ印刷」、「データをメール送信」が表示される。他方、非表示とする設定項目として特定されている「コピー」、「メール送信」は、表示されていない。
【００３６】
また、図４（ｂ）に示される例において、特定部９１は、記憶部８０の非表示設定情報を参照して、「データ印刷」、「データをメール送信」を非表示とする設定項目として特定する。これにより、図４（ｂ）では、非表示とする設定項目として特定されていない設定項目である「コピー」、「メール送信」が表示される。他方、非表示とする設定項目として特定されている「データ印刷」、「データをメール送信」は、表示されていない。
【００３７】
ここで、メニュー表示制御部９２は、図４（ｂ）に示すように、ツリー形式のメニューとともに、表示部７２に非表示情報を表示させるための画像７６を表示させる。
【００３８】
なお、メニュー表示制御部９２は、ツリー形式のメニューを表示させる場合に、メニューとして表示させる設定項目が所定数以上存在するとき、ツリー形式のメニューの一部を表示部７２に表示させるようにしてもよい。さらに、メニュー表示制御部９２は、この場合において、ツリー形式のメニューのうち、表示されていない部分を表示させるためのボタン等を表示部７２に表示させるようにしてもよい。
【００３９】
非表示項目表示制御部９３は、タッチパネル７１により所定の操作が行われたことに応じて、特定部９１により特定された設定項目と、当該設定項目が非表示である理由とを関連付けて、非表示情報として表示部７２に表示させる。また、非表示項目表示制御部９３は、表示部７２にツリー形式のメニューを表示させるための画像（戻りボタン）を、非表示情報とあわせて表示させる。
【００４０】
具体的には、非表示項目表示制御部９３は、メニュー表示制御部９２により表示部７２にツリー形式のメニューが表示されている場合に、接触検出部７３により、タッチパネル７１により画像７６への接触が検出されたか否かを判定する。そして、非表示項目表示制御部９３は、画像７６への接触が検出されたと判定した場合に、所定の操作が行われたものとして、表示部７２における表示をメニューの表示から非表示情報の表示に切り替える。
【００４１】
図５は、表示部７２に対して非表示情報が表示されている例を示す図である。図５は、コピー機１の状態が、ＡＤＦに原稿Ｇが有る状態である場合に表示部７２に非表示情報が表示された例を示す図である。
【００４２】
図５に示される例において、特定部９１は、記憶部８０の非表示設定情報を参照して、「データ印刷」、「データをメール送信」を非表示とする設定項目として特定する。これにより、図５では、非表示とする設定項目として特定されている設定項目である「データ印刷」、「データをメール送信」が表示されている。さらに、図５では、「データをメール送信」に関連して、括弧書きで、非表示設定の理由である「原稿の読み取りを優先」が表示されていることが確認できる。
【００４３】
次に、本実施形態におけるコピー機１の動作について説明する。図６は、コピー機１の動作について説明するためのフローチャートである。なお、図６に示すフローチャートにおいて、検出部７５は、コピー機１の状態を常時監視しているものとする。
【００４４】
ステップＳＴ１において、特定部９１は、検出部７５により検出されたコピー機１の状態に基づいて、非表示とする設定項目を特定する。
【００４５】
ステップＳＴ２において、メニュー表示制御部９２は、記憶部８０を参照して、ステップＳＴ１において非表示とする設定項目として特定されなかった設定項目をツリー形式のメニューとして表示部７２に表示させる。ここで、メニュー表示制御部９２は、ツリー形式のメニューとともに、表示部７２に非表示情報を表示させるための画像７６を表示させる。
【００４６】
ステップＳＴ３において、特定部９１は、検出部７５により検出されたコピー機１の状態が変化したか否かを判定する。特定部９１は、この判定がＹＥＳの場合、ステップＳＴ１に処理を移し、この判定がＮＯの場合、ステップＳＴ４に処理を移す。
【００４７】
ステップＳＴ４において、非表示項目表示制御部９３は、所定の操作が行われたか否かを判定する。すなわち、非表示項目表示制御部９３は、表示部７２に非表示情報を表示させるための画像７６が接触されたか否かを判定する。非表示項目表示制御部９３は、この判定がＹＥＳの場合、ステップＳＴ５に処理を移し、この判定がＮＯの場合、ステップＳＴ３に処理を移す。
【００４８】
ステップＳＴ５において、非表示項目表示制御部９３は、非表示情報を表示部７２に表示させる。具体的には、非表示項目表示制御部９３は、ステップＳＴ４において所定の操作が行われたことに応じて、ステップＳＴ１において特定された設定項目と、当該設定項目が非表示である理由とを関連付けて、非表示情報として表示部７２に表示させる。
【００４９】
ステップＳＴ６において、非表示項目表示制御部９３は、戻り操作が行われたか否かを判定する。非表示項目表示制御部９３は、この判定がＹＥＳの場合、ステップＳＴ１に処理を移し、この判定がＮＯの場合、ステップＳＴ６を再実行する。なお、非表示項目表示制御部９３は、非表示情報が表示部７２に表示されている場合において、コピー機１の状態が変化したとき、特定部９１に非表示とする設定項目を特定させるようにしてもよい。そして、非表示項目表示制御部９３は、この特定された設定項目と、当該設定項目が非表示である理由とを関連付けて、非表示情報として表示部７２に表示させるようにしてもよい。
【００５０】
以上説明したように、本実施形態のコピー機１によれば、以下の効果が奏される。
すなわち、本実施形態のコピー機１は、検出部７５によりコピー機１の状態を検出し、特定部９１により、記憶部８０を参照して、検出部７５により検出されたコピー機１の状態に基づいて非表示とする設定項目を特定し、メニュー表示制御部９２により、特定部９１により特定されなかった設定項目について、記憶部８０を参照して階層関係を特定し、特定された階層関係に基づいて当該設定項目をツリー形式のメニューとして表示部７２に表示させ、非表示項目表示制御部９３により、操作部７０により所定の操作が行われたことに応じて、特定部９１により特定された設定項目を非表示情報として表示部７２に表示させる。
【００５１】
これにより、コピー機１は、メニューをツリー形式で表示するので、ユーザは、所望する設定項目について容易に探すことができる。また、コピー機１は、所定の操作を行われたことにより、メニューに非表示の設定項目がどのような設定項目であるかについて表示部７２に表示するので、ユーザに、非表示になった項目を簡易的に把握させることができる。
【００５２】
また、コピー機１は、非表示項目表示制御部９３により、操作部７０により所定の操作が行われたことに応じて、特定部９１により特定された設定項目と、当該設定項目が非表示である理由とを関連付けて非表示情報として表示部７２に表示させる。
【００５３】
これにより、コピー機１は、設定項目が非表示となった理由を表示部７２に表示させるので、ユーザに、設定項目が非表示となった理由を把握させることができる。よって、ユーザは、例えば、非表示の設定項目を利用したい場合に、非表示となった理由に基づいて、非表示の設定項目を表示する方法について推測することができる。
【００５４】
また、コピー機１は、特定部９１により、検出部７５により検出されたコピー機１の状態を監視し、コピー機１の状態が変化した場合に記憶部８０を参照して、非表示とする設定項目を特定し、メニュー表示制御部９２は、特定部９１により非表示とする設定項目が特定されたことに応じて、特定部９１により特定されなかった設定項目について、記憶部８０を参照して階層関係を特定し、特定された階層関係に基づいて当該設定項目をツリー形式のメニューとして表示部７２に表示させる。
【００５５】
これにより、コピー機１は、コピー機１の状態が変化した場合に、変化した後のコピー機１の状態に対応する設定項目をツリー形式のメニューとしてリアルタイムに表示部７２に表示させることができる。
【００５６】
また、コピー機１は、非表示項目表示制御部９３により、表示部７２にツリー形式のメニューが表示されている場合において接触検出部７３により所定位置への接触が検出された場合に、所定の操作が行われたと判定して表示部７２における表示をメニューの表示から非表示情報の表示に切り替える。
【００５７】
これにより、コピー機１では、タッチパネルの所定位置に接触するという簡易的な操作によって、メニューの表示から非表示情報の表示に切り替えることができる。
【００５８】
なお、本発明は、上述した実施形態に限定されることなく、種々の形態で実施することができる。
例えば、コピー機１は、制御部９０により、設定項目の使用頻度を集計しておき、使用頻度が所定未満の設定項目について、記憶部８０に記憶されている非表示設定リストに自動的に追加するようにしてもよい。さらに、制御部９０は、当該非表示設定リストに追加した理由（非表示設定の理由）として、使用頻度が少ないという理由を追加するようにしてもよい。また、ユーザの設定により、非表示設定リストに表示されている設定項目を除外する操作を受け付けたことに応じて、非表示設定リストから当該設定項目を削除するようにしてもよい。
【符号の説明】
【００５９】
１……コピー機（画像形成装置）、７１……タッチパネル、７２……表示部、７３……接触検出部、７５……検出部、８０……記憶部、９０……制御部、９１……特定部、９２……メニュー表示制御部、９３……非表示項目表示制御部
【図１】
2013246290.tif 000003
【図２】
2013246290.tif 000004
【図３】
2013246290.tif 000005
【図４】
2013246290.tif 000006
【図５】
2013246290.tif 000007
【図６】
2013246290.tif 000008